(57)【要約】      （修正有）【課題】キートップに設けられた表示部を効果的に照明できるキーボード装置を提供する。【解決手段】メンブレンスイッチ２０の接点入力部２４とキートップ４との間に配置され、光源３１からの光をその内部で伝搬させ各キートップ４へ導く導光部材３２を備えた照明機構３０、前記導光部材３２は、面内に、各キートップ４の配設位置に対応させて開口させたスイッチ開口部３２ａ、面内を縦方向と横方向とにマトリクス状に延在し、その内部に光を伝搬させる光伝搬部３２ｂ、前記光伝搬部３２ｂから各スイッチ開口部３２ａ内へ延出して前記キートップ４とメンブレンスイッチ２０間の空間部内へ介装される反射照明部３２ｃが形成された導光部材本体３４と、前記導光部材本体３４の上面に配設され、前記光伝搬部３２ｂから上方への出射光を遮断する遮光部材と、導光部材本体３４から下方へ抜ける光を各キートップ４の方向へ反射させる反射部材とからなる。【選択図】図１
2010267203.tif 000002
【特許請求の範囲】
【請求項１】
ベース基板と、
配列された複数のキートップと、
前記ベース基板上で前記キートップを上下動自在に支持する支持機構と、
前記ベース基板と前記キートップとの間に配設され、前記キートップの非押圧操作時には空隙を介して上下対向配置された下側接点と上側接点とからなる接点入力部を備え、前記キートップの押圧操作により接点入力部の対応する下側接点と上側接点とを接触させることで、信号を出力可能に形成されたメンブレンスイッチと、
光源、および前記メンブレンスイッチと同位あるいは前記メンブレンスイッチよりもキートップ側に配置され、前記光源からの光をその内部で伝搬させつつ各キートップへ導く導光部材を備えた照明機構と
を有し、
前記導光部材は、
面内に、各キートップの配設位置に対応させてスイッチ開口部を開口させるように縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された導光部材本体と、
前記導光部材本体の上面に配設され、前記光伝搬部から上方への出射光を遮断する遮光部材と、
前記光伝搬部および反射照明部の下面に配設され、導光部材本体から下方へ抜ける光を各キートップ方向へ反射させる反射部材と
からなることを特徴とするキーボード装置。
【請求項２】
ベース基板と、
配列された複数のキートップと、
前記ベース基板上で前記キートップを上下動自在に支持する支持機構と、
前記ベース基板と前記キートップとの間に配設され、前記キートップの非押圧操作時には空隙を介して上下対向配置された下側接点と上側接点とからなる接点入力部を備え、前記キートップの押圧操作により接点入力部の対応する下側接点と上側接点とを接触させることで、信号を出力可能に形成されたメンブレンスイッチと、
光源、および前記メンブレンスイッチと同位あるいは前記メンブレンスイッチよりもキートップ側に配置され、前記光源からの光をその内部で伝搬させつつ各キートップへ導く導光部材を備えた照明機構と
を有し、
前記導光部材は、各キートップの配設位置に対応させてスイッチ開口部を開口させるように縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された導光部材本体が１枚のみ配設された第１領域と、前記第１領域に配設される導光部材本体の上面に別の導光部材本体が積層され、２層構造とされた第２領域とからなり、
第１領域における各キートップの配設位置に対応させてスイッチ開口部を開口させるように面内において縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された第１領域部分と、前記第１領域部分と連接させて一体に形成され、第２領域における各キートップの配設位置に対応させてスイッチ開口部を開口させるように面内において縦横に延在し、その内部に光を伝搬させる光伝搬部が形成された第２領域部分とから構成された第１導光部材本体と、
第２領域において前記第１導光部材本体の上面に配設され、第２領域部分における各キートップの配設位置に対応させてスイッチ開口部を開口させるように面内において縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成され第２領域にのみ配設される第２導光部材本体と、
前記第１領域における第１導光部材本体の上面および第２領域における第２導光部材本体の各光伝搬部上面に配設され、キートップ方向へ向かう光を遮断する遮光部材と、
前記第１導光部材本体の光伝搬部および反射照明部の下面に配設され、反キートップ方向へ向かう光を各キートップ方向へ反射させる反射部材とからなり、
少なくとも一部の光源は、第２領域に配設された導光部材本体の側方に配置されていることを特徴とするキーボード装置。
【請求項３】
前記光伝搬部には、導光部材本体内を伝搬させる光の光路および光量を、前記反射照明部へ均一に分光させるように調整・制御する光制御手段が形成されていることを特徴とする請求項１または請求項２に記載のキーボード装置。
【請求項４】
前記光制御手段は、前記導光部材本体の裏面から内部に向け、前記光伝搬部における伝搬光の進路途中に形成され、光伝搬部内に形成される面部に直進性を有する光源の光を当てて、所望の方向へ所望の光量を反射・屈曲させるように形成された溝部であることを特徴とする請求項３に記載のキーボード装置。
【請求項５】
前記反射照明部に配設された導光部材本体の下面は粗面形成されていることを特徴とする請求項１乃至請求項４のいずれか１項に記載のキーボード装置。
【請求項６】
前記キートップには、所望のキャラクタが透光照明可能とされた表示部が形成されており、前記反射照明部は、前記表示部に対応する位置に介装されることを特徴とする請求項１乃至請求項５のいずれか１項に記載のキーボード装置。
【請求項７】
前記導光部材本体の光伝搬部の上面には、前記遮光部材としての遮光膜が印刷形成されており、下面には、前記反射部材としての反射膜が印刷形成されていることを特徴とする請求項１乃至請求項６のいずれか１項に記載のキーボード装置。
【請求項８】
光源はメンブレンスイッチを構成する最上層のシート体の上面に直接実装されていることを特徴とする請求項１乃至請求項７のいずれか１項に記載のキーボード装置。
【請求項９】
導光部材の裏面側から光伝搬部面内には光源の発光部を嵌入配置する配設孔が形成されており、少なくとも一部の光源はメンブレンスイッチを構成する最上層のシート体の上面における、前記各配設孔と対向する領域内に直接実装されていることを特徴とする請求項１乃至請求項８のいずれか１項に記載のキーボード装置。
【請求項１０】
キートップの下方にはキートップを支持する支持部材が配設され、前記支持部材には下向きの押圧凸部が形成されており、
前記メンブレンスイッチは、基板シートの上面に形成された下側接点と、前記押圧凸部における前記下側接点と対向させた位置に形成された上側接点とからなる接点入力部を備え、前記キートップの押圧操作により、接点入力部の押圧シートを押圧して下側接点に上側接点を接触可能に形成されている請求項１乃至請求項９に記載のキーボード装置。
【発明の詳細な説明】
【技術分野】
【０００１】
本発明は、キートップの押圧操作によって接点を接触させるキーボード装置に係り、特に、キートップを背面からの光で照明する機能を有するキーボード装置に関する。
【背景技術】
【０００２】
近年、個々のキートップを背面からの光で照明する機能を備え、暗所においてキートップを視認可能とされたキーボード装置が利用されている。
【０００３】
図８には、従来の構成の照明機構を有するキーボード装置の一例を示す。
【０００４】
このキーボード装置１０１は、キートップ１０４の押圧操作でラバードーム１１２を撓ませ、ベース基板としてのメタルプレート１０２に重ねられたメンブレンシート体１２０に形成された配線基板の接点入力部１２４において電気的に導通させて入力信号を発生させるように構成されており、キートップ１０４を照明するための照明機構１３０として、側面に複数個のＬＥＤ１３１を配設した１枚の導光シート１３４が前記メタルプレート１０２の背面側に配設されている。
【０００５】
すなわち、本従来例のキーボード装置１０１の照明機構１３０は、最下層に配設された反射シート１３５と、その上面に配設された導光シート１３４と、この導光シート１３４の側面に配設された複数のＬＥＤ（Ｌｉｇｈｔ  Ｅｍｉｔｔｉｎｇ  Ｄｉｏｄｅ：発光ダイオード）１３１とから構成されており、複数のＬＥＤ１３１は、電源と信号が供給されるフレキシブル配線基板（ＦＰＣ）１３８に実装され、導光シート１３４の側面からその出射光を導光シート１３４内へ向けて出射可能に配設されている。導光シート１３４は、ＬＥＤ１３１が配設された側の側面を入射面、上面を出射面とし、この入射面から面内に入射して伝搬する伝搬光を、その底面に形成された光拡散部１３４ａにより、出射面側から出射させるべく導光シート１３４内で導くように構成されている。
【０００６】
そして、この照明機構１３０の上面には、遮光シート１３３、補強板となるメタルプレート１０２、およびメンブレンシート体１２０が下から順に積層載置されている。なお、メンブレンシート体１２０は、押圧シート（図示せず）に形成された上側接点（図示せず）と、基板シート（図示せず）に形成された下側接点（図示せず）とを離間対向させるように両シートを重ねた公知の構成である。そして、これらの遮光シート１３３、メタルプレート１０２およびメンブレンシート体１２０には、下層に配設された照明機構１３０からの光を透過させるための透光部（遮光シート１３３、メタルプレート１０２においては開口部、メンブレンシート体１２０においては透明シートの非配線部など、光を透過させる部分を合わせて「透光部」という）が形成されている。
【０００７】
また、メンブレンシート体１２０の上面には、キートップ１０４をメタルプレート１０２から離れる方向である上向きの付勢力を与える、伏せ椀状の弾性部材からなるラバードーム１１２が配設されている。ラバードーム１１２の内部は空洞とされており、この空洞部には押圧凸部（図示せず）が下方へ突出形成されている。そして、キートップ１０４の押圧動作によりラバードーム１１２が撓み、押圧凸部がメンブレンシート体１２０の押圧シートを押圧してその上側接点を基板シートの下側接点に接触させて、電気的に導通させるように構成されている。
【０００８】
また、キートップ１０４の下方には、通常時にはキートップ１０４を上方に付勢して支持し、キートップ１０４の押圧動作により撓むことで、キートップ１０４を上下に昇降自在に支持する支持部材としての、透明の弾性部材からなるハウジングレバー１０９がラバードーム１１２を囲うようにして配設されている。
【０００９】
ラバードーム１１２とハウジングレバー１０９に支持されたキートップ１０４には、上面に所望のキャラクタが開口により象られた抜き文字状の表示部１０４ａが形成されている。
【００１０】
そして、ＬＥＤ１３１の光が、導光シート１３４を透過し、前記透光部およびハウジングレバー１０９を透過することによって、それぞれのキートップ１０４が背面から照明され、前記表示部１０４ａにおいては、背面からの照射光によって明るく視認されるようになっている。
【００１１】
また、以下に示す、特許文献１に記載されたキーボード装置は、板状の発光素子から発せられた光が、回路基板および弾性体のシートに形成された孔（透光部）を通過してキートップに与えられる構成とされ、特許文献２に記載されたキーボード装置は、ベース基板の下側にＥＬ（エレクトロルミネッセンス）素子が設けられ、光がベース基板に開口する貫通孔（透光部）を通過してそれぞれのキートップに与えられる構成とされている。
【先行技術文献】
【特許文献】
【００１２】
【特許文献１】実用新案登録第３０８２５８５号公報
【特許文献２】特開２００２−２５１９３７号公報
【発明の概要】
【発明が解決しようとする課題】
【００１３】
これらの先行技術となるキーボード装置のように、光源からの光がその上に位置する他の部材の透光部を通過して、それぞれのキートップを背面から照明する構成のキーボード装置は、キートップを照明するための光がキートップと光源との間に介在する前記他の部材等で遮られてしまい、光源からの光の利用効率が極めて悪い（光のロス）。
【００１４】
また、照明機構に導光シートを使用する場合、それぞれのキートップを均一に照明することが難しかった。つまり、光源近傍の領域においては伝搬光も多いために明るいが、光源から離れるにしたがって、そこまで至る伝搬光が少なくなるために暗くなる傾向がある。例えば、透光部の形成場所・大きさと、キートップに形成された表示部の大きさ如何によっては、１つのキートップにおける表示部の中で、明るさが異なることもあった（輝度のばらつき）。また、それぞれのキートップの照明を必要とする表示部に集中的に光を与えることができず、表示部が十分に照明されないといった問題もあった（輝度不足）。
【００１５】
そして、導光シートの全面（広面積）に光を行き亘らせるようとすれば、自ずと光源の配設数が多くなり、コストアップの要因ともなる。
【００１６】
さらに、従来の構成では、キートップ下に積層配置する部材の点数が多く、キーボード装置の薄型化や製造コストの削減の要請に反するものであった。
【００１７】
本発明は上記従来の課題を解決するものであり、光源からの光をキートップに効率よく与え、それぞれのキートップの照明箇所を明瞭に照明させることができるとともに、キーボード装置の薄型化を実現可能なキーボード装置を提供することを目的とする。
【課題を解決するための手段】
【００１８】
本発明のキーボード装置は、ベース基板と、配列された複数のキートップと、前記ベース基板上で前記キートップを上下動自在に支持する支持機構と、前記ベース基板と前記キートップとの間に配設され、前記キートップの非押圧操作時には空隙を介して上下対向配置された下側接点と上側接点とからなる接点入力部を備え、前記キートップの押圧操作により接点入力部の対応する下側接点と上側接点とを接触させることで、信号を出力可能に形成されたメンブレンスイッチと、光源、および前記メンブレンスイッチと同位あるいは前記メンブレンスイッチよりもキートップ側に配置され、前記光源からの光をその内部で伝搬させつつ各キートップへ導く導光部材を備えた照明機構とを有し、前記導光部材は、面内に、各キートップの配設位置に対応させてスイッチ開口部を開口させるように縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された導光部材本体と、前記導光部材本体の上面に配設され、前記光伝搬部から上方への出射光を遮断する遮光部材と、前記光伝搬部および反射照明部の下面に配設され、導光部材本体から下方へ抜ける光を各キートップ方向へ反射させる反射部材とからなることを特徴とする。
【００１９】
本発明のキーボード装置においては、導光部材本体の光伝搬部から延出された反射照明部がキートップ下に介装されている。そのため、導光部材本体の反射照明部の表面から発せられた光が多く遮られることなくキートップに与えられることになり、キートップを効率よく照明することができる。また、導光部材本体がメンブレンスイッチと同位かそれより上部に設けられているため、導光部材本体よりも下方に位置しているシートや接点などを透明にする必要がない。よって、導光部材本体よりも下側を透明にする必要がないため、材料費も低減できる。
【００２０】
また、本発明の別のキーボード装置は、ベース基板と、配列された複数のキートップと、前記ベース基板上で前記キートップを上下動自在に支持する支持機構と、前記ベース基板と前記キートップとの間に配設され、前記キートップの非押圧操作時には空隙を介して上下対向配置された下側接点と上側接点とからなる接点入力部を備え、前記キートップの押圧操作により接点入力部の対応する下側接点と上側接点とを接触させることで、信号を出力可能に形成されたメンブレンスイッチと、光源、および前記メンブレンスイッチと同位あるいは前記メンブレンスイッチよりもキートップ側に配置され、前記光源からの光をその内部で伝搬させつつ各キートップへ導く導光部材を備えた照明機構とを有し、前記導光部材は、各キートップの配設位置に対応させてスイッチ開口部を開口させるように縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された導光部材本体が１枚のみ配設された第１領域と、前記第１領域に配設される導光部材本体の上面に別の導光部材本体が積層され、２層構造とされた第２領域とからなり、第１領域における各キートップの配設位置に対応させてスイッチ開口部を開口させるように面内において縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成された第１領域部分と、前記第１領域部分と連接させて一体に形成され、第２領域における各キートップの配設位置に対応させてスイッチ開口部を開口させるように面内において縦横に延在し、その内部に光を伝搬させる光伝搬部が形成された第２領域部分とから構成された第１導光部材本体と、第２領域において前記第１導光部材本体の上面に配設され、第２領域部分における各キートップの配設位置に対応させてスイッチ開口部を開口させるように面内において縦横に延在し、その内部に光を伝搬させる光伝搬部と、前記光伝搬部から前記各スイッチ開口部内へ延出し、前記キートップとメンブレンスイッチ間の空間部内へ介装される反射照明部が形成され第２領域にのみ配設される第２導光部材本体と、前記第１領域における第１導光部材本体の上面および第２領域における第２導光部材本体の各光伝搬部上面に配設され、キートップ方向へ向かう光を遮断する遮光部材と、前記第１導光部材本体の光伝搬部および反射照明部の下面に配設され、反キートップ方向へ向かう光を各キートップ方向へ反射させる反射部材とからなり、少なくとも一部の光源は、第２領域に配設された導光部材本体の側方に配置されていることを特徴とする。
【００２１】
本発明のキーボード装置においても、導光部材本体の光伝搬部から延出された反射照明部がキートップ下に介装されているため、導光部材本体の反射照明部の表面から発せられた光が多く遮られることなくキートップに与えられることになり、キートップを効率よく照明することができる。また、導光部材本体がメンブレンスイッチと同位かそれより上部に設けられているため、導光部材本体よりも下方に位置しているシートや接点などを透明にする必要がなく、材料費も低減できる。さらに、導光部材の第１領域においては、主に第２領域に配設された第１導光部材本体の第２領域部分を伝搬される光を利用してキートップの照明を行なう。その際に、第１導光部材本体の第２領域部分を伝搬する光は、第２領域においては照明光として利用されないので、第１領域部分に中るまでの光の減衰を最小に抑えることができる。よって、第１領域を光源から離隔した位置に配設することにより、光源から離れたキートップにおいても十分な明るさの照明を実行することが可能となる。
【００２２】
また、前記光伝搬部には、導光部材本体内を伝搬させる光の光路、光量を導光部材本体内の前記反射照明部へ均一に分光させるように調整・制御する光制御手段が形成されていることを特徴とする。具体的には、前記光制御手段は、前記導光部材本体の裏面から内部に向け、前記光伝搬部における伝搬光の進路途中に形成され、光伝搬部内に形成される面部に直進性を有する光源の光を当てて、所望の方向へ所望の光量を反射・屈曲させるように形成された溝部を例示することができる。
【００２３】
この光制御手段により、導光部材本体内を伝播する光の導光部材本体内を伝搬する光路、光量を調整・制御することにより、導光部材本体内の前記反射照明部へ均一に分光させることができ、前記反射照明部に光を集中させることができる。
【００２４】
そして、前記反射照明部に配設された導光部材本体の下面は粗面形成されていることを特徴とする。
【００２５】
このように、反射部材が粗面形成されることで、光拡散面として機能し、出射光を拡散させることができるので、キーボードをより明るく照明することが可能となる。
【００２６】
また、キートップには、所望のキャラクタが透光照明可能とされた表示部が形成されており、前記反射照明部は、前記表示部に対応する位置に介装されることを特徴とする。
【００２７】
導光部材本体から出射された出射光がキートップ裏面側から前記表示部の開口を抜けて視認されることにより、ユーザーはキートップに付されたキャラクタを背面からの光で確認することができる。
【００２８】
また、導光部材本体の光伝搬部の上面には、前記遮光部材としての遮光膜が印刷形成されており、下面には、前記反射部材としての反射膜が印刷形成されていることを特徴とする
【００２９】
導光部材本体に遮光膜、反射膜を印刷形成することにより、導光部材を薄く成形することが可能となり、キーボード装置の薄型化に貢献するものとなる。
【００３０】
さらに、光源はメンブレンスイッチを構成する最上層のシート体の上面に直接実装されていることを特徴とする。
【００３１】
光源をメンブレンスイッチを構成する最上層のシート体に配設し、そのシートから照明用電源を供給する構成とすることで、光源の照明用の電源を供給する配線基板を省略し、材料費を低減させることができる。
【００３２】
さらには、導光部材の裏面側から光伝搬部面内には光源の発光部を嵌入配置する配設孔が形成されており、少なくとも一部の光源はメンブレンスイッチを構成する最上層のシート体の上面における、前記各配設孔と対向する領域内に直接実装されていることを特徴とする。
【００３３】
光源をメンブレンスイッチを構成するシート体に配設し、そのシートから照明用電源を供給する構成とすることで、光源の照明用の電源を供給する配線基板を省略し、材料費を低減させることができるとともに、面内の光伝搬部の所望の位置に光源を配設することで、光源からそれぞれのキートップまでの距離を短くでき、光の利用効率が高くなり、キートップの照明をより明るく、均等なものとすることができる。
【００３４】
前記キートップの下方にはキートップを支持する支持部材が配設され、前記支持部材には下向きの押圧凸部が形成されており、前記メンブレンスイッチは、基板シートの上面に形成された下側接点と、前記押圧凸部における前記下側接点と対向させた位置に形成された上側接点とからなる接点入力部を備え、前記キートップの押圧操作により、接点入力部の押圧シートを押圧して下側接点に上側接点を接触可能に形成されていることを特徴とする。
【００３５】
このように構成されたメンブレンスイッチは、シート体を１枚のみとすることで薄型化を図ることができ、材料費も低減させることができる。
【発明の効果】
【００３６】
このように、本発明は、キーボード装置のキートップを照明する光の利用効率を高めることができる。またキートップの照明すべき箇所に光を集中させることができ、また光源からの距離の変化に影響されず、それぞれのキートップの照明の明るさのばらつきを少なくできる。さらに、積層させるシートを削減することで、キーボード装置の薄型化を実現させ、低コストとすることができるといった優れた効果を奏する。
【図面の簡単な説明】
【００３７】
【図１】本発明の実施形態のキーボード装置の一部を示す部分断面図
【図２】図１に示すキーボード装置の照明機構における導光部材の構造を拡大して示す説明図
【図３】図１に示すキーボード装置の照明機構における導光部材に形成された溝部と、光源との位置関係を示す部分平面図
【図４】図１に示すキーボード装置の照明機構における他の導光部材の構造を拡大して示す説明図
【図５】本発明の他の実施形態のキーボード装置におけるメンブレンスイッチの構造のキーボード装置の一部を示す部分断面図
【図６】本発明の他の実施形態のキーボード装置における導光部材に形成された溝部と、光源との位置関係を示す部分平面図
【図７】本発明の他の実施形態のキーボード装置の照明機構における導光部材の構造を拡大して示す説明図
【図８】従来の実施形態のキーボード装置の一部を示す部分断面図
【発明を実施するための形態】
【００３８】
図１乃至図７に示す本実施形態のキーボード装置１は、ブック型またはラップトップ型あるいはディスクトップ型のパーソナルコンピュータなどに装備されるものである。
【００３９】
図１はキーボード装置１の図示しない筐体に収納されるベース基板としてのメタルプレート２の上面に縦方向および横方向に配列された複数のキー入力部３のうち一部のキー入力部３を示す断面図である。後述するように、キー入力部３はそれぞれに配設されるキートップ４の大きさに合わせてその横方向の長さ寸法が相違しているが、それ以外の構造は実質的に同じである。
【００４０】
この図１に示すように、メタルプレート２の上には、メンブレンスイッチを構成するメンブレンシート体２０と照明機構３０が順に重ねられて固定されており、メタルプレート２から上方へ離れた位置にキートップ４が設けられている。
【００４１】
前記メタルプレート２には、各キー入力部３が設けられる部分に、第１の支持片５と第２の支持片６が上方へ向けて折り曲げられ、メンブレンシート体２０に形成された貫通孔２０ａおよび照明機構３０に形成されたスイッチ開口部３２ａを通過してメンブレンシート体２０よりも上方へ突出させて形成されている。
【００４２】
各キートップ４とメタルプレート２との間には、第１の可動支持部材７と第２の可動支持部材８が設けられている。第１の可動支持部材７は、その一端が第１の支持片５に回動自在に支持され、他端がキートップ４の下部に回動自在で且つ横方向へスライド自在に支持されている。第２の可動支持部材８は、一端がキートップ４の下部に回動自在に支持され、他端が第２の支持片６に回動自在で且つ横方向へスライド自在に支持されている。第１の可動支持部材７と第２の可動支持部材８は、その長手方向における中央部どうしが回動自在に連結されており、第１の可動支持部材７と第２の可動支持部材８とでＸ型の支持リンク９が構成され、キートップ４を上下に昇降自在に支持する支持部材とされている。
【００４３】
また、図１に示すように、前記メンブレンシート体２０は、基板シート２１と押圧シート２２と、前記両シート２１，２２間に挟まれたスペーサ層２３とが積層されて構成されている。そして、後述するラバードーム１２の押圧凸部１２ａが対向する部分には、スペーサ層２３が形成されず、接点入力部２４とされている。この接点入力部２４は、各キー入力部３に設けられたラバードーム１２の押圧凸部１２ａと対向する位置に形成されている。接点入力部２４では、基板シート２１の上面に下側接点２５が設けられ、押圧シート２２の下面に、下側接点２５に対向する上側接点２６が設けられている。上側接点２６は、押圧シート２２に配線された図示しない導電パターンに個別に導通され、下側接点２５は、基板シート２１に配線された図示しない導電パターンに個別に導通されている。なお、押圧シート２２は、薄くて可撓性がある、ポリカーボネート、ウレタン、シリコン、ＰＥＴなどが使用可能である。
【００４４】
そして、接点入力部２４以外の領域で基板シート２１と押圧シート２２との間に介在するスペーサ層２３は接着層である。スペーサ層２３は、基板シート２１の表面にレジスト材料などで形成された有機樹脂層２３ａとその上に積層された接着剤層２３ｂとで構成されている。有機樹脂層２３ａは、スクリーン印刷工程などで、接点入力部２４を除く領域で基板シート２１の表面に形成されている。接着剤層２３ｂも、スクリーン印刷工程などで、接点入力部２４を除く領域で、有機樹脂層２３ａの表面に形成され、この接着剤層で押圧シート２２が固定されている。このようにスペーサ層２３を接着層とすることで、メンブレンシート体２０を薄いものにできる。また、スペーサ層２３を、有機樹脂層２３ａと接着剤層２３ｂとの積層体で形成することで、基板シート２１と押圧シート２２との上下の間隔を広く保つことができ、各接点入力部２４において、下側接点２５と上側接点２６との上下の対向間隔を保つことができる。
【００４５】
前記押圧シート２２とキートップ４との間には、伏せ椀状の弾性部材からなるラバードーム１２が配設されている。ラバードーム１２はキートップ４に対してメタルプレート２から離れる方向である上向きの付勢力を与える付勢部材であり、前記第１の可動支持部材７と第２の可動支持部材８とからなるＸ型の支持リンク９とともに、キートップ４を支持する支持部材として作用する。ラバードーム１２の下側の内部は空洞であり、この空洞内には下向きの押圧凸部１２ａが一体に形成されている。  キートップ４には、上面に所望のキャラクタが開口により象られた抜き文字状の表示部４ａが形成されている。
【００４６】
そして、キートップ４が押されると、第１の可動支持部材７の一端が第１の支持片５との係合部を支点として回動し、第２の可動支持部材８の一端がキートップ４の下部で回動して、キートップ４が下降する。このとき、ラバードーム１２がキートップ４で押し潰されるとともに、押圧凸部１２ａで接点入力部２４の押圧シート２２を押圧し、上側接点２６が対向する下側接点２５に接触して互いに導通させられる。これによりキー入力信号が得られる。
【００４７】
照明機構３０は、光源３１と、前記メンブレンシート体２０の接点入力部２４とキートップ４との間に配置され、前記光源３１からの光をその内部で伝搬させつつ各キートップ４へ導く導光部材３２とを備えている。
【００４８】
前記導光部材３２は、図２に示すように、光源３１からの光をその内部で伝搬させつつ各キートップ４へ導く導光部材本体としての導光シート３４（厚さ０．２ｍｍ）を備えている。導光シート３４は、キーボード装置１の全域に延びる広い面積のものであり、その面内に、各キートップ４の配設位置に対応させて開口させた略四角形状のスイッチ開口部３２ａ、面内を縦方向と横方向とにマトリクス状に延在し、その内部に光を伝搬させる光伝搬部３２ｂ、および、前記光伝搬部３２ｂから各スイッチ開口部３２ａ内へ延出して前記キートップ４とメンブレンシート体２０間の空間部内へ介装される舌片状の反射照明部３２ｃが形成されている。反射照明部３２ｃはレーザー照射や液剤処理等により、下面が粗面処理され、光拡散面とされている。
【００４９】
そして、導光シート３４の上面には、導光シート３４の光伝搬部３２ｂから上方への出射光を遮断する遮光部材としての遮蔽シート３３（厚さ０．０７５ｍｍ）が配置されている。遮蔽シート３３は、基材シート（図示せず）の表面に、光を透過させない遮蔽膜（図示せず）が形成されている。この遮蔽膜は黒色または濃緑色の層であり、基材シートの表面に樹脂層を印刷し、または金属層などの無機層をスパッタすることで形成されている。
【００５０】
前記導光シート３４の下面には、導光シート３４から下方へ抜ける光を各キートップ４方向へ反射させる反射部材としての反射シート３５（厚さ０．０５ｍｍ）が配置されている。
【００５１】
図３に示すように、前記スイッチ開口部３２ａは各キー入力部３に設けられたキートップ４の縁部から外側にはみ出ることがないように、縁部がキートップ４の縁部よりも内側に位置し、スイッチ開口部３２ａの面積はキートップ４の面積よりも小さくなっている。その結果、隣り合うキートップ４の隙間の下側は必ず光伝搬部３２ｂが位置している。そして、反射照明部３２ｃは、それぞれのキートップ４に形成された表示部４ａの近傍に位置するように配設されている。
【００５２】
そして、本実施形態のキーボード装置１においては、図３に示すように、導光部材３２の導光部材本体としての導光シート３４には、導光シート３４内を伝搬させる光の光路および光量を、導光シート３４内の前記反射照明部３２ｃへ均一に分光させるように調整・制御する光制御手段としての溝部３６が、前記導光シート３４の下面から内部に向け、前記光伝搬部３２ｂにおける伝搬光の進路途中に切込み形成されている。
【００５３】
この溝部３６は、溝部３６によって形成される光伝搬部３２ｂ内に形成される面部に直進性を有するＬＥＤ３１の光を当てて、所望の方向へ所望の光量を反射・屈曲させるように形成される。よって、導光シート３４の裏面に対する切込み角度、制御対象となる光軸に対する切込み角度、光伝搬部３２ｂの幅方向における切込み長さ、導光シート３４の裏面からの切込み深さおよび溝幅等を、光源３１からの距離を勘案して適宜変化させ、導光シート３４内を伝播する光の光路、光量を調整・制御するように構成されている。こうすることにより、導光シート３４内を伝播する光を前記反射照明部３２ｃへ均一に分光させることができ、前記反射照明部３２ｃに光を集中させることができる。
【００５４】
そして、導光シート３４の側方には、導光シート３４の一方向に伸びる各光伝搬部３２ｂに対応させてそれぞれ光源３１であるＬＥＤ３１がＦＰＣ３８を介して筐体に固定されている。ＬＥＤ３１は、透明なパッケージの内部にＬＥＤ３１のベアチップが収納されたものであり、導光シート３４の端面に対向させ、ＬＥＤ３１から発せられる光が、前記端面から導光シート３４の内部に導かれるように構成されている。
【００５５】
図３には、本実施形態のキーボード装置１の導光部材３２の一例を上面から示している。この導光部材３２には、面内に、各キートップ４の配設位置に対応させて開口させた略四角形状のスイッチ開口部３２ａが形成されており、このスイッチ開口部３２ａの四方を囲うようにして、縦方向と横方向とにマトリクス状に延在し、その内部に光を伝搬させる光伝搬部３２ｂが形成されている。縦方向に延在する前記光伝搬部３２ｂには、各スイッチ開口部３２ａ内へ延出して前記キートップ４とメンブレンシート体２０間の空間部内へ介装される舌片状の反射照明部３２ｃが形成されている。
【００５６】
図３において、左上方に示す１つのスイッチ開口部３２ａ内に示された丸印は、キートップ４を支持する第１の可動支持部材７の一端と第１の支持片５の係合部、および第２の可動支持部材８の一端と第２の支持片６の係合部の位置である。前記反射照明部３２ｃは、前記光伝搬部３２ｂから各スイッチ開口部３２ａ内のＸ型の支持リンク９の下方となるように延出して介装される。
【００５７】
各キートップ４を支持する第１の可動支持部材７の一端と第１の支持片５の係合部、および第２の可動支持部材８の一端と第２の支持片６の係合部の位置は、それぞれ対応する各スイッチ開口部３２ａ内おいて、前記左上のスイッチ開口部３２ａと略同様、略四角形状のスイッチ開口部３２ａの四隅近くとされ、前記反射照明部３２ｃは、Ｘ型の支持リンク９の動作に支障のない前記キートップ４とメンブレンシート体２０間の空間部内の位置に延在し、介装されているものとし、他のスイッチ開口部３２ａにおける図示は省略する。なお、図３の左上方に示すＡ−Ａ断面線は、図１（図５についても同じ）の断面図に対応する部分を示す。
【００５８】
また、図３には、記号「♯」と数字の「３」が開口により象られた抜き文字状の表示部４ａとして形成されたキートップ４のみを示している。キートップ４の面積は、スイッチ開口部３２ａよりも大きいので、上面視においてキートップ４の近傍にスイッチ開口部３２ａが視認されることはない。また、反射照明部３２ｃは、それぞれのキートップ４に形成された表示部４ａの下方に位置するように配設されている。
【００５９】
そして、導光シート３４の側方で、キーボード装置１の長手方向となる横方向に伸びる各第１の光伝搬部３２ｂａにおける一端側にはそれぞれＬＥＤ３１が配設され、ＬＥＤ３１から発せられる光が、導光シート３４の端面から導光シート３４の内部に導かれるように構成されている。
【００６０】
横方向に伸びる第１の光伝搬部３２ｂａには、必要に応じてその下面に、光制御手段としての第１の溝部３６ａが形成されている。この第１の溝部３６ａは、該横方向に伸びる第１の光伝搬部３２ｂｂに直交して形成された縦方向に伸びる第２の光伝搬部３２ｂｂへ前記ＬＥＤ３１の直進光を屈折させるように作用する。そして、この第1の溝部３６ａは、本実施形態においては、対応するＬＥＤ３１の光軸に対して光を屈曲させる方向へ導光シート３４の表面に沿って４５°の角度（溝部による切断面の形成角度に応じて光伝搬部内で入射角と反射角の原理にしたがって反射させる）で、かつ、導光シート３４の約１／２の深さで形成されており、その溝部３６ａの長さは、光源３１に近い第１の溝部３６ａほど短く、光源３１から離れるところに形成される第１の溝部３６ａほど長くなり、最も遠いところに形成される第１の溝部３６ａは、この第１の光伝搬部３２ｂａの全幅に亘って形成されている。このように溝部３６の長さを調整することにより、該溝部３６の形成位置にまで至るＬＥＤ３１の光を、適宜、縦方向に伸びる第１の光伝搬部３６ｂｂへ屈曲させる光と、そのまま横方向に伸びる第２の光伝搬部３２ｂｂを直進させる光とを分別させることができる。
【００６１】
また、縦方向に伸びる第２の光伝搬部３２ｂｂには、その下面に、前記溝部３６により屈曲して該縦方向に伸びる第１の光伝搬部３２ｂａ内へ導かれた光を、反射照明部３２ｃへ集める第２の溝部３６ｂが形成されている。この第２の溝部３６ｂは、本実施形態においては、対応するＬＥＤ３１の光軸に対して光を屈曲させる方向へ導光シート３４の表面に沿って４５°の角度で、かつ、導光シート３４の約１／２の深さで形成されており、その溝の長さは、この第２の光伝搬部３２ｂｂの全幅に亘って形成されている。
【００６２】
そして、ＬＥＤ３１から出射され、導光シート３４の端面から光伝搬部３２ｂに入射した光は、導光シート３４の内部を入射角と反射角の原理に従って反射され伝搬する。導光シートから抜ける光は上面側における遮蔽シート３３の裏面の反射と、下面側における反射シート３４の表面の反射で導光シート３４内へ戻され、照明に利用される。その際、図３中に矢印で示すように、導光シート３４の光伝搬部３２ｂの内部を伝播する光が第１の溝部３６ａ、第２の溝部３６ｂに反射して反射照明部３２ｃに導かれ、その反射照明部３２ｃにおける粗面形成され、光拡散面とされた下面に当たると、導光シート３４の内部に向けて反射されて上面に向けられる。その上面から抜け出た光がキートップ４の表示部４ａに与えられる。
【００６３】
導光部材３２の上には、金属製の基板や樹脂製の回路基板などが配置されていないため、反射照明部３２ｃから上方へ反射された光が、表示部４ａに効率よく与えられて、全てのキートップ４において表示部４ａが明瞭に照明される。
【００６４】
このように、本実施形態のキーボード装置１においては、ＬＥＤ３１の光を光源３１からの距離に関わらず、導光部材本体３４内の前記反射照明部３２ｃへ均一に分光させ、前記反射照明部３２ｃに光を集中させることができる。
【００６５】
なお、第１の光伝搬部３２ａｂに形成される第１の溝部３６ａは、第２の光伝搬部３２ｂｂへ光源３１の直進光を屈折させることのみを目的とするものではなく、第２の光伝搬部３２ｂｂに形成される第２の溝部３６ｂも、反射照明部３２ｃへ光を導くためのみに形成されるものではない。例えば、必要であれば、第１の光伝搬部３２ａｂに形成した溝部３６により、直接、反射照明部３２ｃへ光を導くようにしてもよい（図３の最上部に示した第１の光伝搬部参照）。
【００６６】
また、反射照明部３２ｃで反射された光が表示部４ａに向かう光の経路に、第１と第２の可動支持部材７，８が介在している場合には、第１と第２の可動支持部材７，８が、透明または半透明の透光性の材料で形成されていることが好ましい。または、第１と第２の可動支持部材７，８を、表面で光を反射できまたは光を拡散できるように白色系の合成樹脂材料などで形成し、反射照明部３２ｃで反射された光が、第１と第２の可動支持部材７，８で反射されまたは拡散されてキートップ４に与えられるようにしてもよい。
【００６７】
さらに、導光部材３２は、図４に示すように、導光シート３４（厚さ０．２ｍｍ）の光伝搬部３２ｂの上面に前記遮光部材として、遮光膜３９（厚さ０．０３ｍｍ）を印刷形成し、下面に前記反射部材としての反射膜４０（厚さ０．０３ｍｍ）を印刷形成した構成としてもよい。これにより、キーボード装置１の薄型化に貢献することができる。
【００６８】
またさらに、前記押圧シート２２を導光部材３２と兼用してもよい。このように、前記押圧シート２２を導光部材３２と兼用することでキーボード装置１の薄型化にさらに貢献することができる。
【００６９】
ここで、前述のメンブレンスイッチは、スペーサ層２３を挟んで積層された基板シート２１と押圧シート２２を有し、基板シート２１の上面に形成された下側接点２５と、下側接点２５を上方から覆う可撓性の押圧シート２２の下面における前記下側接点２５と対向させた位置に配置された上側接点２６とからなる接点入力部２４を備え、前記キートップ４の押圧操作により、接点入力部２４の押圧シート２２を押圧して下側接点２５に上側接点２６を接触可能に形成されている。そこで、このメンブレンスイッチの押圧シート２２およびスペーサ層２３を省略し、該キーボード装置の更なる薄型化を図る構成とすることも可能である。
【００７０】
具体的には、図５に示すように、メンブレンスイッチの基板シート２１には、各キートップ４に対応させて２つの下側接点を離間させて形成する。各下側接点２５は、基板シート２１に配線された図示しない導電パターンに個別に導通されている。そして、この基板シート２１の上面に直接、前述の構成の導光部材３２を配設する。このとき、対となる２つの下側接点２５を、導光部材３２のスイッチ開口部３２ａ内に位置させる。一方、キートップ４の下方であって、基板シート２１の上面に配設された支持部材としてのラバードーム１２に形成された下向きの押圧凸部１２ａの先端部には、前記２つの下側接点２５を接続し、導通させる上側接点２６を形成する。その他の部分の構成、部材の構造は前述のキーボード装置と同様とする。
【００７１】
そして、このように構成されたキーボード装置においては、キートップ４が押され、ラバードーム１２がキートップ４で押し潰されると、押圧凸部１２ａが接点入力部２４において下降し、上側接点２６が対向する一対の下側接点２５，２５に接触し、２つの下側接点２５，２５を導通させることで、キー入力信号を出力することができる。このように構成されたメンブレンスイッチを備えるキーボード装置は、シート体を基板シート２１のみ１、枚とすることで薄型化を図ることができ、材料費も低減させることができるものとなる。
【００７２】
また、ＬＥＤ３１は、導光シート３４の光伝播部３２ｂの側方において自由に配置することができる。例えば、図６に示すように、ＬＥＤ３１を導光シート３４の横方向両端面において、横方向に伸びる第１の光伝搬部３２ｂａに対応させて配設するようにしてもよい。
【００７３】
この場合においても、光伝搬部３２ｂに形成される光制御手段としての第１の溝部３６ａおよび第２の溝部３６ｂは、各ＬＥＤ３１から導光シート内に入射し、伝搬する光の光路および光量を、前記反射照明部へ均一に分光させるように、その形成位置や、導光シート３４の裏面に対する切込み角度、制御対象となる光軸に対する角度、光伝搬部３２ｂの幅方向における切込み長さ、導光シート３４の裏面からの切込み深さおよび溝幅等を、光源３１からの距離を勘案して適宜調整・制御する。
【００７４】
また、ＬＥＤ３１をメンブレンシート体２０の最上面シートである押圧シート２２に形成した配線パターンを利用して、直接実装してもよい。そのＬＥＤ３１は、前述のように導光シート３４の側方に配設してもよいし、また、図６に示すように、導光シート３４の裏面側で光伝搬部３２ｂの面内に光源３１を配設する配設孔１０を適宜形成しておき、この配設孔１０内に、メンブレンシート体２０の上面に実装された光源３１を配設するようにしてもよい。
【００７５】
このような構成とすることで、ＬＥＤ３１の照明用の電源を供給する配線基板を省略し、材料費を低減させることができるとともに、光伝搬部３２ｂの所望の位置にＬＥＤ３１を配設することで、ＬＥＤ３１からそれぞれのキートップ４までの距離を短くでき、光の利用効率が高くなり、キートップ４の照明をより明るく、均等なものとすることができる。
【００７６】
図７は、前記導光部材３２の構成を前述の実施形態と異ならせたキーボード装置の断面図であり、本実施形態においては、導光部材本体が部分的に２層に形成されている。詳しくは、前記導光部材３２は、導光部材本体としての導光シート（第１導光シート）３４ａが１枚配設された第１領域と、その第１導光シート３４ａの上に別の１枚の導光シート（第２導光シート）３４ｂが積層配置された第２領域とからなる。
【００７７】
本実施形態のキーボード装置１においては、光源３１は、この第２領域に配設された２枚の導光シート３４ａ、３４ｂの側方に配置されている。すなわち、このキーボード装置１は、例えば図３に示すキーボード装置１のように、光源３１がキーボード装置１の一側方に配設されている場合、光源３１が配設された側の領域が第２領域、光源とは反対側の領域が第１領域となる。なお、図３には、本実施形態のキーボード装置１の導光部材３２の構成を説明する図７の断面図に対応する部分をＢ−Ｂ断面線で示す。
【００７８】
ここで、前記第１導光シート３４ａは、各キートップ４の配設位置に対応させてスイッチ開口部３２ａを開口させるように面内において縦横に延在し、その内部に光を伝搬させる光伝搬部３２ｂと、前記光伝搬部３２ｂから前記各スイッチ開口部３２ａ内へ延出し、前記キートップ４とメンブレンスイッチ２０間の空間部内へ介装される反射照明部３２ｃが形成された第１領域部分と、前記第１導光シート３４ａの第１領域部分と連接させて一体に形成され、各キートップ４の配設位置に対応させてスイッチ開口部３２ａを開口させるように面内において縦横に延在し、その内部に光を伝搬させる光伝搬部３２ｂが形成された第２領域部分とからなる。
【００７９】
また、第２導光シート３４ｂは、第２領域部分に配設される各キートップ４の配設位置に対応させてスイッチ開口部３２ａを開口させるように面内において縦横に延在し、その内部に光を伝搬させる光伝搬部３２ｂと、前記光伝搬部３２ｂから前記各スイッチ開口部３２ａ内へ延出し、前記キートップ４とメンブレンスイッチ２０間の空間部内へ介装される反射照明部３２ｃが形成されている。
【００８０】
そして、本実施形態においては、図７に示すように、第１導光シート３４ａの第１領域部分における厚さ寸法は、第２領域に積層させて配設される２枚の導光シート３４ａ、３４ｂの厚さ寸法と等しくなるように設計され、表面に段差が形成されたものとされている。
【００８１】
そして、本実施形態においては、各導光シート３４ａ、３４ｂには、反射照明部３２ｃへ光源３１の光を分光させるための光制御手段としての溝部３６が形成されている。具体的には、本実施形態においては、第２領域における第２導光シート３４ｂには溝部３６が形成されており、第２領域に配置されるキートップ４に対応させて配置される反射照明部３２ｃへ光を導くように構成されており、第１導光シート３４ａの第２領域部分には特に光制御手段を形成せず、光源３１の光を光源から離隔する位置である第１領域へ伝搬させるように構成されている。また、第１領域においては第１導光シート３４ａの第１領域部分に形成された溝部３６により、第１領域に配置されるキートップ４に対応させて配置される反射照明部３２ｃへ光を導くように構成されている。
【００８２】
なお、このように構成された導光部材３２の上面、すなわち、前記第１領域部分の光伝搬部３２ｂおよび前記第２領域部分の光伝搬部３２ｂの上面には、前記上方への出射光を遮断する遮光部材３３が配設され、導光部材３２の下面、すなわち、第１導光シート３４ａの下面には、前記光伝搬部３２ｂおよび反射照明部３２ｃから下方へ抜ける光をキートップ方向へ反射させる反射部材３５が配設されている点は前述の実施形態と同じである。
【００８３】
このように構成されたキーボード装置においては、導光部材３４の第２領域においては、前記第２導光シート３４ｂ内を伝搬する光を利用してキーチップの照明を行い、導光部材３４の第１領域においては、主に第２領域に配設された第１導光シート３４ａの第２領域部分を伝搬され、第１領域に至った光を利用してキートップ４の照明を行なう。光が第１導光シート３４ａの第２領域部分を伝搬する際に、光源３１からの光のうち大部分はその直進性からまっすぐに第１領域を目指して進み、第２領域の照明光として利用されることがないので、第１領域部分に至るまでの光の減衰を最小に抑えることができる。よって、光源３１から離隔した第１領域に配置されたキートップ４においても十分な明るさの照明を実行することが可能となる。なお、導光シート３４ａ、３４ｂの光伝搬部３２ｂから延出された反射照明部３２ｃがキートップ４下に介装されているため、導光シート３４ａ、３４ｂの反射照明部３２ｃの表面から発せられた光が多く遮られることなくキートップ４に与えられることになり、キートップ４を効率よく照明することができることは前述の実施形態と同様である。
【００８４】
なお、第１導光シート３４ａの第２領域部分においても、第１領域方向へより均一に光を案内するべく、光制御手段を配設してもよい。また、第２領域における第２導光シート３４ｂの下面に、第２導光シート３４ｂの前記光伝搬部３２ｂおよび反射照明部３２ｃから下方へ抜ける光をキートップ方向へ反射させる反射部材３５を配設し、第２領域における第１導光シート３４ａの上面に、第１導光シート３４ａの光伝搬部から上方への出射光を遮断する遮光部材３３を配設してもよい。さらには、第１導光シート３４ａの第１領域部分と第２領域部分との厚さが等しく設計された平面状の導光シートを用いることも可能である。
【００８５】
さらに、本発明は、前述した各実施形態を必要に応じて種々に変更可能である。
【００８６】
例えば、キートップ４の表示部４ａを所望の色が付された透明樹脂材で形成したり、前記反射照明部３２ｃの裏面の粗面形成部に着色することで、各キーボードの表示部４ａを所望の色で発光させることも可能となる。
【００８７】
光制御手段は溝部３６に限らず、要は、直進性を有するＬＥＤ３１の光を所望の方向へ所望の光量で反射・屈曲させることができればよく、例えば、溝部３６を切り込み形成する代わりに、鏡のような反射部材を埋設してもよい。
【００８８】
光源は、ＬＥＤに限らないが、出射光が前方へ向かって直進する点状光源であることが望ましい。
【００８９】
また、導光部材本体は、シート状の導光シートに限らず、板状の導光板であってもいい。
【００９０】
また、第１の光伝搬部に形成される溝部は、第２の光伝搬部へ光源の直進光を屈折させることのみを目的とするものではなく、第２の光伝搬部に形成される溝部も、反射照明部へ光を導くためのみに形成されるものではない。例えば、必要であれば、第１の光伝搬部に形成した溝部により、直接、反射照明部へ光を導くようにしてもよい（図３の最上部に示した第１の光伝搬部参照）。
【符号の説明】
【００９１】
１  キーボード装置
２  ベース基板（メタルプレート）
３  キー入力部
４  キートップ
４ａ  表示部
５  第１の支持片  
６  第２の支持片
７  第１の可動支持部材
８  第２の可動支持部材
９  支持リンク
１０  （ＬＥＤの）配設孔
１２  ラバードーム
２０  メンブレンシート体
２１  基板シート
２２  押圧シート
２３  スペーサ層
２３ａ  有機樹脂層
２３ｂ  接着剤層
２４  接点入力部
２５  下側接点
２６  上側接点
３０  照明機構
３１  光源（ＬＥＤ）
３２  導光部材
３２ａ  スイッチ開口部
３２ｂ  光伝搬部
３２ｂａ第１の光伝搬部
３２ｂｂ  第２の光伝搬部
３２ｃ  反射照明部
３３  遮光部材（遮蔽シート）
３４  導光部材本体（導光シート）
３５  反射部
３６  溝部
３６ａ  第１の溝部
３６ｂ  第２の溝部  
３８  ＦＰＣ
３９  遮光部材（遮光膜）
４０  反射部材（反射膜）
【図１】
2010267203.tif 000003
【図２】
2010267203.tif 000004
【図３】
2010267203.tif 000005
【図４】
2010267203.tif 000006
【図５】
2010267203.tif 000007
【図６】
2010267203.tif 000008
【図７】
2010267203.tif 000009
【図８】
2010267203.tif 000010